(57)【要約】      （修正有）【課題】フェース板の打球のスイートスポットの背面に強化突出部を設置し、さらにフェース板の背面の下半部の平面に強化突出リブを設置することにより、打球時のボール飛び出しの仰角を増やすため、ゴルフクラブヘッドの打球の性能を増やすことができる。【解決手段】フェース板２の結合背面２２を対応するヘッド本体１の結合正面１１に結合することによりゴルフクラブヘッドを組成する。第一部位２２１はフェース板２の上半部の平面に位置され、第二部位２２２はフェース板２の下半部の平面に位置される。フェース板２には強化突出部２３と強化突出リブ２４が設けられ、強化突出部２３はフェース板２の打球のスイートスポットの背面に対応するように形成され、強化突出リブ２４は第二部位２２２に形成され、さらに強化突出リブ２４の一端は強化突出部２３と連結するように構成されている。【選択図】図１
0003133531.tif 000002
【実用新案登録請求の範囲】
【請求項１】
ヘッド本体（１）およびフェース板（２）が含まれるゴルフクラブヘッドのフェース板構造であって、ヘッド本体（１）には結合正面（１１）が設けられ、フェース板（２）には打球正面（２１）と結合背面（２２）が形成され、結合背面（２２）には第一部位（２２１）と第二部位（２２２）が形成され、第一部位（２２１）はフェース板（２）の上半部の平面に位置され、第二部位（２２２）はフェース板（２）の下半部の平面に位置され、フェース板（２）には他に強化突出部（２３）と強化突出リブ（２４）が設けられ、強化突出部（２３）はフェース板（２）の打球のスイートスポットの背面に対応するように形成され、強化突出リブ（２４）は第二部位（２２２）に形成され、さらに強化突出リブ（２４）の一端は強化突出部（２３）と連結するように形成され、フェース板（２）の結合背面（２２）はヘッド本体（１）の結合正面（１１）に対応するように結合されることにより、共同でゴルフクラブヘッドを組成することを特徴とするゴルフクラブヘッドのフェース板構造。
【請求項２】
フェース板（２）には他に少なくとも一個の調整突出リブ（２５）が設けられ、調整突出リブ（２５）は結合背面（２２）に設置されると共に、強化突出リブ（２４）の一方に位置するように形成され、調整突出リブ（２５）の一端は強化突出部（２３）と連結するように形成されることを特徴とする請求項１記載のゴルフクラブヘッドのフェース板構造。
【請求項３】
調整突出リブ（２５）は選択的にヘッド本体（１）のヒール部に近い部位またはヘッド本体（１）のトー部に近い部位に設置され、さらに強化突出部（２３）の一方に位置するように形成され、そして調整突出リブ（２５）が強化突出部（２３）と連結していない一端はヘッド本体（１）のヒール部またはトー部に向かってフェース板（２）の周縁まで延伸するように形成されることを特徴とする請求項２記載のゴルフクラブヘッドのフェース板構造。
【請求項４】
強化突出リブ（２４）と調整突出リブ（２５）が強化突出部（２３）に近い一端の肉厚は強化突出リブ（２４）と調整突出リブ（２５）の他端に向かって次第に縮小するように形成されることを特徴とする請求項２記載のゴルフクラブヘッドのフェース板構造。
【請求項５】
強化突出部（２３）の形状は対応するフェース板（２）の打球のスイートスポットと同じになるように形成され、強化突出部（２３）は均一の肉厚を有する楕円形突出部の構造であり、そして強化突出リブ（２４）も強化突出部（２３）に相対して均一かつ同じ肉厚を有するように形成されることを特徴とする請求項１記載のゴルフクラブヘッドのフェース板構造。
【請求項６】
強化突出部（２３）の形状は対応するフェース板（２）の打球のスイートスポットと同じになるように形成され、強化突出部（２３）は円弧の突出状の構造で、そして異なる肉厚の変化を有するように形成されることを特徴とする請求項１記載のゴルフクラブヘッドのフェース板構造。
【請求項７】
強化突出リブ（２４）が強化突出部（２３）と連結していない一端はヘッド本体（１）のソール部に向かってフェース板（２）の底部周縁まで延伸するように形成されることを特徴とする請求項１記載のゴルフクラブヘッドのフェース板構造。
【考案の詳細な説明】
【技術分野】
【０００１】
本考案は、ゴルフクラブヘッドのフェース板構造に関するもので、特にフェース板の結合背面において強化突出部と強化突出リブを設置することにより、ボール飛び出しの角度を上げることができるゴルフクラブヘッドのフェース板構造に係るものである。
【背景技術】
【０００２】
従来のゴルフクラブヘッドのフェース板構造の構造としては、図１０に示すようにヘッド本体８とフェース板９が含まれ、フェース板９はヘッド本体８の結合正面８１に結合される。フェース板９には打球正面９１と背面９２が形成され、フェース板９の背面９２には突出紋９３が設けられ、突出紋９３は一体成形になるようにフェース板９に形成される。突出紋９３は選択的に螺旋状または複数個の同心円の構造に形成される。突出紋９３を設置することにより、ゴルフクラブヘッドの重心位置を変更し、さらにフェース板９の構造の強度を同時に増やすことができるため、ゴルフクラブヘッドの打球の性能を高めると共に、使用寿命を増やすことができるようにとしたものがある（例えば、特許文献１を参照）。
【特許文献１】アメリカ特許第５，７７６，０１１号
【考案の開示】
【考案が解決しようとする課題】
【０００３】
上記のような従来のゴルフクラブヘッドのフェース板構造においては、一般として下記の問題点を有している。例えば、突出紋９３はフェース板９の打球のスイートスポット（Sweet spot）に対応するようにフェース板９の背面に設置され、そして螺旋状または複数個の同心円の構造でフェース板９の背面に均一に分布して支持するように形成されることにより、打球時においてフェース板９の変形が比較的平均になるため、打球後のボール飛び出しの角度が比較的平らで、実質的に打球の飛距離を有効に増やすことができないという問題点を有している。このように、ボール飛び出しの角度が飛距離に大きな影響を及ぼすため、上記のような従来のゴルフクラブヘッドのフェース板構造をさらに改良しなければならない。
【０００４】
本考案はこのような問題点に鑑みて考案したものであって、その目的とするところは、フェース板の打球のスイートスポットの背面に対応するように強化突出部を設置し、そして上記フェース板の背面の下半部の平面に強化突出リブを設置し、上記強化突出リブの一端は上記強化突出部と連結し、さらに上記強化突出リブの他端は上記フェース板の背面の底部周縁まで延伸する。このように、上記フェース板の背面に上記強化突出リブを設けていない部位の弾性変形の能力は上記フェース板の背面に上記強化突出リブを設けている部位の弾性変形の能力より比較的優れていることにより、打球時のボール飛び出しの仰角を増やすことができるため、確実にゴルフクラブヘッドの打球の性能を有効に増やすことができるゴルフクラブヘッドのフェース板構造を提供しようとするものである。
【０００５】
本考案の第一の目的は、フェース板の打球のスイートスポットの背面に強化突出部を設置し、そして上記フェース板の背面の下半部の平面に強化突出リブを設置することにより、打球時のボール飛び出しの仰角を増やすことができるため、確実にゴルフクラブヘッドの打球の性能を有効に増やすことができるゴルフクラブヘッドのフェース板構造を提供しようとするものである。
【０００６】
本考案の第二の目的は、上記フェース板の背面に上記強化突出リブの左側または右側に対応して選択的に少なくとも一個の調整突出リブを設置することにより、個人的な習性や必要性に応じて水平的に左または右へ向かって打球時のボール飛び出しの角度を調整することができるため、ゴルフクラブヘッドの調整の自由度を高めることができるゴルフクラブヘッドのフェース板構造を提供しようとするものである。
【課題を解決するための手段】
【０００７】
上記目的を達成するために、本考案によるゴルフクラブヘッドのフェース板構造は、下記のようになるものである。すなわち、
ヘッド本体およびフェース板が含まれる。ヘッド本体には結合正面が設けられる。フェース板には打球正面と結合背面が形成され、結合背面には第一部位と第二部位が形成され、第一部位はフェース板の上半部の平面に位置され、第二部位はフェース板の下半部の平面に位置され、フェース板には他に強化突出部と強化突出リブが設けられ、強化突出部はフェース板の打球のスイートスポットの背面に対応するように形成され、強化突出リブは第二部位に形成され、さらに強化突出リブの一端は強化突出部と連結するように形成される。フェース板の結合背面はヘッド本体の結合正面に対応するように結合されることにより、共同でゴルフクラブヘッドを組成する。
【０００８】
本考案によるゴルフクラブヘッドのフェース板構造は、フェース板には他に少なくとも一個の調整突出リブが設けられ、調整突出リブは結合背面に設置されると共に、強化突出リブの一方に位置するように形成され、調整突出リブの一端は強化突出部と連結するように形成されることもできる。また、調整突出リブは選択的にヘッド本体のヒール部に近い部位またはヘッド本体のトー部に近い部位に設置され、さらに強化突出部の一方に位置するように形成され、そして調整突出リブが強化突出部と連結していない一端はヘッド本体のヒール部またはトー部に向かってフェース板の周縁まで延伸するように形成されることもできる。また、強化突出リブと調整突出リブが強化突出部に近い一端の肉厚は強化突出リブと調整突出リブの他端に向かって次第に縮小するように形成されることもできる。また、強化突出部の形状は対応するフェース板の打球のスイートスポットと同じになるように形成され、強化突出部は均一の肉厚を有する楕円形突出部の構造で、そして強化突出リブも強化突出部に相対して均一かつ同じ肉厚を有するように形成されることもできる。また、強化突出部の形状は対応するフェース板の打球のスイートスポットと同じになるように形成され、強化突出部は円弧の突出状の構造で、そして異なる肉厚の変化を有するように形成されることもできる。また、強化突出リブが強化突出部と連結していない一端はヘッド本体のソール部に向かってフェース板の底部周縁まで延伸するように形成されることもできる。
【考案の効果】
【０００９】
本考案のゴルフクラブヘッドのフェース板構造によれば、フェース板の打球のスイートスポットの背面に強化突出部を設置し、そして上記フェース板の背面の下半部の平面に強化突出リブを設置することにより、打球時のボール飛び出しの仰角を増やすことができるため、確実にゴルフクラブヘッドの打球の性能を有効に増やすことができるという利点がある。
【００１０】
本考案のゴルフクラブヘッドのフェース板構造によれば、上記フェース板の背面に上記強化突出リブの左側または右側に対応して選択的に少なくとも一個の調整突出リブを設置することにより、個人的な習性や必要性に応じて水平的に左または右へ向かって打球時のボール飛び出しの角度を調整することができるため、ゴルフクラブヘッドの調整の自由度を高めることができるという利点がある。
【考案を実施するための最良の形態】
【００１１】
本考案の実施の形態について、以下、図面を参照して説明する。
【実施例１】
【００１２】
図１、２を参照すると、本考案の実施例１のゴルフクラブヘッドのフェース板構造はウッド型ヘッドを例に挙げ、ヘッド本体１およびフェース板２が含まれる。ヘッド本体１には結合正面１１が形成され、フェース板２は結合正面１１に対応するように結合されることにより、共同でゴルフクラブヘッドを組み合わせて形成する。ヘッド本体１の材質は選択的に炭素鋼、低炭素鋼、ステンレス鋼（１７‐４ＰＨステンレス鋼）、合金鋼、低合金鋼、フェロ−マンガン−アルミ合金、鋳鉄、ニッケル合金、構造用鋼、超合金鋼またはチタン合金などの金属材質により製造される。ヘッド本体１には実質的にトー部（toe）、クラウン部（crown）、ソール部（sole）、ヒール部（heel）とホーゼル（hosel）などのゴルフクラブヘッドの基本構造が含まれる。
【００１３】
図１、２、３を参照すると、本考案の実施例１のフェース板２の材質は選択的にステンレス鋼（１７‐４ＰＨステンレス鋼）、炭素鋼、銅合金、アルミ合金、フェロ−マンガン−アルミ合金またはチタン合金などの金属材質により製造される。フェース板２には打球正面２１、結合背面２２、強化突出部２３と強化突出リブ２４が設けられる。打球正面２１はゴルフボール（図示せず）を打球するのに用いられる。結合背面２２はヘッド本体１の結合正面１１に対応するように結合され、結合背面２２はフェース板２の打球のスイートスポットの中央を通過する水平線を基準線とし、上記水平線の上の部位を第一部位２２１とし、さらに上記水平線の下の部位を第二部位２２２とする。本実施例１において、強化突出部２３と強化突出リブ２４は選択的にフライス削り、エッチング、研磨およびその組合せなどの方式により一体成形になるように結合背面２２に加工し形成され、さらに強化突出部２３は上記打球のスイートスポットに対応してフェース板２の背面の中央に形成される。強化突出リブ２４は選択的に結合背面２２の第二部位２２２に設置され、そして強化突出部２３の下方に位置するように形成される。強化突出リブ２４の一端は強化突出部２３と連結し、そして強化突出リブ２４の他端はヘッド本体１の底部へ向かってフェース板２の底部周縁まで延伸するように形成される。その他に、本実施例１において強化突出部２３の形状はフェース板２の打球のスイートスポットに対応して近似するように形成され、そして選択的に同じく均一の肉厚を有する楕円形突出部の構造からなり、さらに強化突出リブ２４も強化突出部２３に相対して均一かつ同じ肉厚を有するように形成される。
【００１４】
図１、２、３、４を参照すると、本考案の実施例１のゴルフクラブヘッドのフェース板構造を使用してゴルフボールを打球する時、フェース板２の打球のスイートスポットが上記ゴルフボールを接触する瞬間、打球の応力はフェース板２に集中するもので、強化突出部２３と強化突出リブ２４がフェース板２の背面において上記打球のスイートスポットと第二部位２２２に相対する位置に支持されることにより、上記打球のスイートスポットと第二部位２２２は比較的強い構造の強度を有するため、生じる弾性変形の量は比較的小さくなる。それに反して、第一部位２２１においては強化突出リブ２４またはその他の強化部材を設けていないため、第一部位２２１に生じる弾性変形の量は第二部位２２２において生じる弾性変形の量より比較的大きくなり、さらには打球時においてゴルフクラブヘッドのボール飛び出しの仰角が増える。また、フェース板２のその他の部位の肉厚は強化突出部２３と強化突出リブ２４より相対的に薄いため、フェース板２のその他の部位と強化突出部２３および強化突出リブ２４との肉厚の差を変化し調整することにより、上記打球のスイートスポットの面積をさらに拡大することができるため、ゴルフクラブヘッドの打球の性能をさらに高めることができる。
【００１５】
図４Ａ、４Ｂ、４Ｃ、４Ｄおよび表１を参照すると、図４Ａと４Ｃは本考案の説明図であり、図４Ｂと４Ｄは従来のゴルフクラブヘッド３のフェース板において強化突出部だけを設置して強化突出リブを設置していないゴルフクラブヘッド３の説明図である。仮に打球時において、ゴルフボールと打球正面２１との接触の位置が第一部位２２１の一個の打球点Ａ、Ａ’に接近する時、打球の応力が殆ど第一部位２２１に集中されることにより、第一部位２２１は第二部位２２２に相対して比較的大きい弾性変形の量が生じるため、打球点Ａ（図４Ｃに示す如く）で打球されたボールはもう一個のゴルフクラブヘッドの打球点Ａ’（図４Ｄに示す如く）と比較すると、その打球時のボール飛び出しの仰角は明らかに大きくなっている。仮に打球の位置が打球のスイートスポットの中央の打球点Ｂ、Ｂ’に接近する時、打球の応力が殆ど強化突出部２３に集中され、僅かな一部分だけが第一部位２２１まで分散されることにより、第一部位２２１に生じる弾性変形の量は第二部位２２２に生じる弾性変形の量より僅かに大きいだけで、しかし打球点Ｂ（図４Ｃに示す如く）で打球されたボールはもう一個のゴルフクラブヘッドの打球点Ｂ’（図４Ｄに示す如く）と比較すると、やはりボール飛び出しの仰角は増えている。仮に打球の位置が強化突出リブ２４の打球点Ｃ、Ｃ’に接近する時、打球の応力が殆ど強化突出リブ２４に集中され、そして小部分の打球の応力だけが強化突出部２３まで分散されることにより、第一部位２２１に生じる弾性変形の量は第二部位２２２に生じる弾性変形の量とは略同じであるため、打球点Ｃ（図４Ｃに示す如く）で打球されたボールはもう一個のゴルフクラブヘッドの打球点Ｃ’（図４Ｄに示す如く）と比較すると、ボール飛び出しの仰角は明らかに増えていない。
【００１６】
【表１】
0003133531.tif 000003
【実施例２】
【００１７】
図５、６を参照すると、本考案の実施例２のゴルフクラブヘッドのフェース板構造が掲示される。実施例１と比較してみると、実施例２においてはさらに少なくとも一個の調整突出リブ２５が設置され、調整突出リブ２５は選択的に強化突出部２３の右側（すなわちヘッド本体１のトー部の一方）に位置するように形成され、そして調整突出リブ２５の一端は強化突出部２３と連結するように形成され、さらに調整突出リブ２５の他端はヘッド本体１のトー部へ向かってフェース板２の周縁の位置まで延伸するように形成される。強化突出リブ２４と調整突出リブ２５が強化突出部２３に接近する一端の肉厚は強化突出リブ２４と調整突出リブ２５の他端に向かって次第に縮小するように形成され、さらに両者が強化突出部２３に接近する一端の肉厚は強化突出部２３の肉厚とは同じになるように形成される。その他に、本実施例２における強化突出部２３、強化突出リブ２４と調整突出リブ２４は選択的に高エネルギー熔接の方式（例えばレザー重ね継ぎ）により結合背面２２に結合される。
【００１８】
図５、６を参照すると、本考案の実施例２においては調整突出リブ２５をヘッド本体１のトー部に接近する位置に設け、調整突出リブ２５によりフェース板２の右側の構造の強度を強化することができ、さらにフェース板２の右側の弾性変形の量を少なく抑えることができる。このように、使用者は打球の方向が右へ逸れる習性を有する場合、または打球の環境の需要性に応じて選択的に打球時のボール飛び出しの角度を左へ向くように調整することができる。
【実施例３】
【００１９】
図７、８を参照すると、本考案の実施例３のゴルフクラブヘッドのフェース板構造が掲示される。実施例２と比較してみると、実施例３において調整突出リブ２４はさらに選択的に強化突出部２３の左側（すなわちヘッド本体１のヒール部の一方）に位置するように設置される。そして調整突出リブ２５の一端は強化突出部２３と連結するように形成され、さらに調整突出リブ２５の他端はヘッド本体１のヒール部へ向かってフェース板２の周縁の位置まで延伸するように形成される。その他に、本実施例３において強化突出部２３は選択的に異なる肉厚の変化を有する円弧の突出状の構造からなり、そして強化突出リブ２４と調整突出リブ２５が強化突出部２３に接近する一端の肉厚は選択的に強化突出リブ２４の肉厚より小さくまたは大きくなるように設置することができる。本実施例３において、強化突出リブ２４が強化突出部２３に接近する一端の肉厚は選択的に強化突出部２３の肉厚より小さくなるように形成される。さらに、本実施例３において、調整突出リブ２５が強化突出部２３に接近する一端の肉厚は選択的に強化突出部２３の肉厚より大きくなるように形成される。
【００２０】
図７、８を参照すると、本考案の実施例３においては調整突出リブ２５をヘッド本体１のヒールに接近する位置に設け、調整突出リブ２５によりフェース板２の左側の構造の強度を強化することができ、そしてフェース板２の左側の弾性変形の量を少なく抑えることができ、さらに需要性に応じて選択的に打球時のボール飛び出しの角度を右へ向くように調整することができる。また、本考案の実施例３においても選択的に強化突出リブ２４と調整突出リブ２５の肉厚に異なる変化を形成させることにより、フェース板２の弾性変形の能力を調整し、さらに打球時のボール飛び出しの角度に影響を及ぼすことができる。さらに、強化突出部２３、強化突出リブ２４と調整突出リブ２４の材質は選択的に振動吸収の高い材質により製造され、例えば炭素鋼、低炭素鋼、ステンレス鋼（１７‐４ＰＨステンレス鋼）、合金鋼、鋳鉄、ニッケル合金、チタン合金、銅合金、アルミ合金または超合金鋼により製造されることにより、ゴルフクラブヘッドが打球時における快適感を高めることができる。
【実施例４】
【００２１】
図９を参照すると、本考案の実施例４のゴルフクラブヘッドのフェース板構造が掲示される。実施例３と比較してみると、実施例４において強化突出リブ２４と調整突出リブ２５の間にはさらにもう一個の調整突出リブ２５’が増設されることにより、フェース板２の背面の左下半部の構造の強度を増やすことができると共に、フェース板２の弾性変形の能力を調整することができるため、打球時のボール飛び出しの角度に影響を及ぼすことができる。
【産業上の利用可能性】
【００２２】
上述の如く、図１０に示す従来のゴルフクラブヘッドのフェース板構造によれば、フェース板９の背面において突出紋９３を設置しているが、打球の飛距離を有効に増やすことができないなどの問題点があったが、図１に示す本考案のゴルフクラブヘッドのフェース板構造によれば、フェース板２の打球のスイートスポットの背面において強化突出部２３を設置し、さらに結合背面２２の第二部位２２２において強化突出リブ２４を設置し、強化突出リブ２４の一端は強化突出部２３と連結し、強化突出リブ２４の他端はフェース板２の背面の底部周縁まで延伸するように形成し、フェース板２の第一部位２２１の弾性変形の能力はフェース板２の第二部位２２２の弾性変形の能力より優れていることにより、打球時のボール飛び出しの仰角を増やすことができるため、確実にゴルフクラブヘッドの打球の性能を有効に高めることができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１のゴルフクラブヘッドのフェース板構造を示す分解斜視図である。
【図２】本考案の実施例１のゴルフクラブヘッドのフェース板構造による組み立てられた状態の正面図と局部の透視図である。
【図３】本考案の実施例１の図３に沿った４−４線の組み立てられた状態の断面図である。
【図４Ａ】本考案の実施例１のゴルフクラブヘッドのフェース板構造による異なる打球点を示す図である。
【図４Ｂ】従来の強化突出部しか設けていないゴルフクラブヘッドによる異なる打球点を示す図である。
【図４Ｃ】本考案の実施例１のゴルフクラブヘッドのフェース板構造による異なる打球点のボール飛び出しの仰角を示す図である。
【図４Ｄ】従来の強化突出部しか設けていないゴルフクラブヘッドによる異なる打球点のボール飛び出しの仰角を示す図である。
【図５】本考案の実施例２のゴルフクラブヘッドのフェース板構造を示す分解斜視図である。
【図６】本考案の実施例２のゴルフクラブヘッドのフェース板構造による局部の断面図である。
【図７】本考案の実施例３のゴルフクラブヘッドのフェース板構造を示す分解斜視図である。
【図８】本考案の実施例３のゴルフクラブヘッドのフェース板構造による局部の断面図である。
【図９】本考案の実施例４のゴルフクラブヘッドのフェース板構造を示す分解斜視図である。
【図１０】従来のゴルフクラブヘッドのフェース板構造を示す分解斜視図である。
【符号の説明】
【００２５】
１    ヘッド本体                    １１    結合正面
２    フェース板                    ２１    打球正面
２２    結合背面                    ２２１    第一部位
２２２    第二部位                      ２３    強化突出部
２４    強化突出リブ                  ２５    調整突出リブ
２５’  調整突出リブ
３    従来のゴルフクラブヘッド
８    ヘッド本体                    ８１    結合正面
９    フェース板                    ９１    打球正面
９２    結合背面                      ９３    突出紋
【図１】
0003133531.tif 000004
【図２】
0003133531.tif 000005
【図３】
0003133531.tif 000006
【図４Ａ】
0003133531.tif 000007
【図４Ｂ】
0003133531.tif 000008
【図４Ｃ】
0003133531.tif 000009
【図４Ｄ】
0003133531.tif 000010
【図５】
0003133531.tif 000011
【図６】
0003133531.tif 000012
【図７】
0003133531.tif 000013
【図８】
0003133531.tif 000014
【図９】
0003133531.tif 000015
【図１０】
0003133531.tif 000016